【手続補正書】
【提出日】平成18年8月29日(2006.8.29)
【手続補正１】
【補正対象書類名】特許請求の範囲
【補正対象項目名】請求項１０
【補正方法】変更
【補正の内容】
【請求項１０】
前記画素データ読み出し制御部は、前記光電変換素子アレイから画素データを読み出す垂直転送スイッチ回路と、前記読み出した画素データを一時的に保持する信号電圧保持回路と、前記信号電圧保持回路から画素データまたは混合画素データを出力する水平転送スイッチ回路と、前記水平転送スイッチ回路からの画素データまたは混合画素データを出力する出力アンプと、前記水平転送スイッチ回路を制御して前記全画素読み出しモードでの出力と前記画素混合読み出しモードとを切り替える水平シフト選択回路とを備えて構成されている請求項１から請求項９までのいずれかに記載の固体撮像装置。
【手続補正２】
【補正対象書類名】明細書
【補正対象項目名】００２０
【補正方法】変更
【補正の内容】
【００２０】
また、例えば、ｎ＝２の場合の走査は次のようになる。走査ユニットは隣接する５ライン分の組である。第１フィールド走査では、１ライン飛ばしの（１ライン目，３ライン目，５ライン目，７ライン目，９ライン目）の組の第１の走査ユニットでの垂直５画素混合の次に、５ラインずつずらした１ライン飛ばしの（６ライン目，８ライン目，１０ライン目，１２ライン目，１４ライン目）の組の第１の走査ユニットで垂直５画素混合を行い、さらにその次に、５ラインずつずらした１ライン飛ばしの（１１ライン目，１３ライン目，１５ライン目，１７ライン目，１９ライン目）の組の第１の走査ユニットで垂直５画素混合を行い、さらにその次に、５ラインずつずらした１ライン飛ばしの（１６ライン目，１８ライン目，２０ライン目，２２ライン目，２４ライン目）の組の第１の走査ユニットで垂直５画素混合を行う。そして、第２フィールド走査では、第１フィールド走査での第１の走査ユニットに対して２ラインシフトした隣接する５ライン分である１ライン飛ばしの（３ライン目，５ライン目，７ライン目，９ライン目，１１ライン目）の組の第２の走査ユニットでの垂直５画素混合の次に、５ラインずつずらした１ライン飛ばしの（８ライン目，１０ライン目，１２ライン目，１４ライン目，１６ライン目）の組の第２の走査ユニットで垂直５画素混合を行い、さらにその次に、５ラインずつずらした１ライン飛ばしの（１３ライン目，１５ライン目，１７ライン目，１９ライン目，２１ライン目）の組の第２の走査ユニットで垂直５画素混合を行い、さらにその次に、５ラインずつずらした１ライン飛ばしの（１８ライン目，２０ライン目，２２ライン目，２４ライン目，２６ライン目）の組の第２の走査ユニットで垂直５画素混合を行う。
【手続補正３】
【補正対象書類名】明細書
【補正対象項目名】００３１
【補正方法】変更
【補正の内容】
【００３１】
上記の画素データ読み出し制御部について、その構成を具体的レベルで記述すると、次のものが好ましい。すなわち、前記光電変換素子アレイから画素データを読み出す垂直転送スイッチ回路と、前記読み出した画素データを一時的に保持する信号電圧保持回路と、前記信号電圧保持回路から画素データまたは混合画素データを出力する水平転送スイッチ回路と、前記水平転送スイッチ回路からの画素データまたは混合画素データを出力する出力アンプと、前記水平転送スイッチ回路を制御して前記全画素読み出しモードでの出力と前記垂直水平画素混合読み出しモードでの出力とを切り替える水平シフト選択回路とを備えた構成である。
【手続補正４】
【補正対象書類名】明細書
【補正対象項目名】０１０５
【補正方法】変更
【補正の内容】
【０１０５】
次に、垂直シフト選択回路２３０において選択ラインを２つ進め、第５ライン目を選択する。すべての垂直転送スイッチＶ１１，Ｖ２１，Ｖ３１，Ｖ４１…を同時に閉じ、さらにすべての２番目の伝達スイッチｅ１２，ｅ２２，ｅ３２，ｅ４２…を同時に閉じ、第５ライン上のＧ（グリーン）およびＲ（レッド）の画素Ｐ１５，Ｐ２５，Ｐ３５，Ｐ４５…における電圧信号をそれぞれ２番目のコンデンサｄ１２，ｄ２２，ｄ３２，ｄ４２…に充電する。そして、すべてのクランプコンデンサＣＣをリセットする。
【手続補正５】
【補正対象書類名】明細書
【補正対象項目名】０１０６
【補正方法】変更
【補正の内容】
【０１０６】
次に、垂直シフト選択回路２３０において選択ラインを２つ進め、第７ライン目を選択する。すべての垂直転送スイッチＶ１１，Ｖ２１，Ｖ３１，Ｖ４１…を同時に閉じ、さらにすべての３番目の伝達スイッチｅ１３，ｅ２３，ｅ３３，ｅ４３…を同時に閉じ、第７ライン上のＧ（グリーン）およびＲ（レッド）の画素Ｐ１７，Ｐ２７，Ｐ３７，Ｐ４７…における電圧信号をそれぞれ３番目のコンデンサｄ１３，ｄ２３，ｄ３３，ｄ４３…に充電する。そして、すべてのクランプコンデンサＣＣをリセットする。
【手続補正６】
【補正対象書類名】明細書
【補正対象項目名】０１０７
【補正方法】変更
【補正の内容】
【０１０７】
次に、垂直シフト選択回路２３０において選択ラインを２つ進め、第９ライン目を選択する。すべての垂直転送スイッチＶ１１，Ｖ２１，Ｖ３１，Ｖ４１…を同時に閉じ、さらにすべての４番目の伝達スイッチｅ１４，ｅ２４，ｅ３４，ｅ４４…を同時に閉じ、第９ライン上のＧ（グリーン）およびＲ（レッド）の画素Ｐ１９，Ｐ２９，Ｐ３９，Ｐ４９…における電圧信号をそれぞれ４番目のコンデンサｄ１４，ｄ２４，ｄ３４，ｄ４４…に充電する。そして、すべてのクランプコンデンサＣＣをリセットする。
【手続補正７】
【補正対象書類名】明細書
【補正対象項目名】０１０８
【補正方法】変更
【補正の内容】
【０１０８】
次に、垂直シフト選択回路２３０において選択ラインを２つ進め、第１１ライン目を選択する。すべての垂直転送スイッチＶ１１，Ｖ２１，Ｖ３１，Ｖ４１…を同時に閉じ、さらにすべての５番目の伝達スイッチｅ１５，ｅ２５，ｅ３５，ｅ４５…を同時に閉じ、第１１ライン上のＧ（グリーン）およびＲ（レッド）の画素Ｐ１１１，Ｐ２１１，Ｐ３１１，Ｐ４１１…における電圧信号をそれぞれ５番目のコンデンサｄ１５，ｄ２５，ｄ３５，ｄ４５…に充電する。そして、すべてのクランプコンデンサＣＣをリセットする。
【手続補正８】
【補正対象書類名】明細書
【補正対象項目名】０１３１
【補正方法】変更
【補正の内容】
【０１３１】
次に、垂直シフト選択回路２３０において、出力対象の４ライン１組の走査ユニットをＦ２からＦ３に進める。第３の走査ユニットＦ３は、第９ライン目、第１０ライン目、第１１ライン目、第１２ライン目の集合となっている。第３の走査ユニットＦ３において、上記同様の動作を繰り返すことにより、図１０の奇数フィールドでの第３走査ユニット目における２画素混合画素データＳ３（ｓ１３，ｓ２３，ｓ３３，ｓ４３…）を出力する。
【手続補正９】
【補正対象書類名】明細書
【補正対象項目名】０１４３
【補正方法】変更
【補正の内容】
【０１４３】
次に、垂直シフト選択回路２３０において、出力対象の４ライン１組の走査ユニットをＪ２からＪ３に進める。第３の走査ユニットＪ３は、第９ライン目、第１０ライン目、第１１ライン目、第１２ライン目の集合となっている。第３の走査ユニットＪ３において、上記同様の動作を繰り返すことにより、図１０の奇数フィールドでの第３走査ユニット目における２画素混合画素データＴ３（ｔ１３，ｔ２３，ｔ３３，ｔ４３…）を出力する。